(57)【特許請求の範囲】
【請求項１】
前壁(1)、対向する側壁(2)及び後壁(3)を備え、それらの境界の稜線(10)に沿った折り曲げにより角筒状の周壁が形成され、底面が閉じられると共に、前壁(1)及び後壁(3)の上端からの延出部と、側壁(2)の上端からの延出部とを重ね合わせて天面が閉じられ、
前壁(1)を横切る切目線に続いて、対向する側壁(2)には、後壁(3)との境界上端へ至るように、多数の切目(12)が断続するジッパー(11)を備え、ジッパー(11)の開封方向が基準となる稜線(10)に対し傾斜したジッパー付き包装箱において、
前記ジッパー(11)は、各切目(12)が開封方向へ延びる直進部(13)と、直進部(13)の前端側で基準となる稜線(10)に対し平行して開封方向に逆行するように下方向へ延びる破受部(14)と、直進部(13)の後端側で基準となる稜線(10)に対し直交方向に延びる直線の誘導部(15)と、これらを結ぶ曲線部(16)とから成り、
前記直進部(13)に対し破受部(14)及び誘導部(15)が鈍角をなし、隣り合う切目(12)の直進部(13)が同一直線上に位置し、前方の切目(12)の誘導部(15)の延長線が後方の切目(12)の破受部(14)に対して、直角をなすように突き当たるようにしたことを特徴とするジッパー付き包装箱。
【請求項２】
請求項１に記載のジッパー付き包装箱において、紙の繊維の延びる向きである紙目方向を、基準となる稜線(10)に対して直交する方向へ向け、前記ジッパー(11)の破受部(14)が紙目方向に直交し、誘導部(15)が紙目方向に平行となるようにしたことを特徴とするジッパー付き包装箱。
【請求項３】
請求項１又は２に記載のジッパー付き包装箱において、前記ジッパー(11)に平行してその上方に他のジッパー(20)を設け、２条のジッパー(11,20)に挟まれた引裂帯(21)を形成したことを特徴とするジッパー付き包装箱。
【発明の詳細な説明】
【技術分野】
【０００１】
この発明は、開封用のジッパーを有する紙製の包装箱に関するものである。
【背景技術】
【０００２】
下記特許文献１には、図９に示すように、側壁５１、端壁５２及び天壁５３が稜線を介して隣り合い、側壁５１の下端中央部に形成された摘み部５４から天壁５３の後部にかけて、開封用のジッパー６１が設けられた包装箱が記載されている。
【０００３】
ジッパー６１は、多数の切目６２が断続するものであり、その開封方向は、側壁５１において、摘み部５４から端壁５２との稜線５５に対し傾斜して両側上方へ延びる部分と、これに続いて稜線５５に対し平行に垂直上方へ延びる部分と、天壁５３において、端壁５２との境界の稜線５６に対し平行に延びる部分とから構成される。
【０００４】
ここで、ジッパー６１の破断進行における始端側を前方とし、終端側を後方と表現した場合、ジッパー６１の各切目６２は、開封方向へ延びる直進部６３と、直進部６３の前端から鈍角で斜めに延びる破受部６４と、直進部６３の後端から破受部６４と同側に鈍角で斜めに延びる誘導部６５とから構成される。
【０００５】
ジッパー６１の開封方向が稜線５５に対し傾斜した部分では、各切目６２の破受部６４及び誘導部６５が直進部６３から斜め上方へ延びており、ジッパー６１のそれ以外の部分では、破受部６４及び誘導部６５が直進部６３から内方向へ延びている。
【０００６】
また、各切目６２の破受部６４は、誘導部６５よりも直進部６３から長く延びており、隣り合う切目６２は、直進部６３が同一直線上に位置し、前方の切目６２の誘導部６５の延長線が後方の切目６２の破受部６４に突き当たるように配置されている。
【０００７】
この包装箱を開封する際には、摘み部５４を上方へ引っ張り、これに伴い、ジッパー６１を連続的に破断し、側壁５１から天壁５３にかけて２本のジッパー６１に挟まれた部分を捲るようにして開口させる。
【先行技術文献】
【特許文献】
【０００８】
【特許文献１】特開２００２−５９９１９号公報
【発明の概要】
【発明が解決しようとする課題】
【０００９】
しかしながら、上記のようなジッパー付き包装箱では、開封時に摘み部５４を引き上げて、ジッパー６１の開封方向が稜線５５に対し傾斜した部分を破断する際、前方の切目６２の誘導部６５から生じた裂け目が後方の切目６２の破受部６４から逸れて上方へ逃げてしまい、連続的に破断できなくなることがある。
【００１０】
また、ジッパー６１を破断して開封した後、開口部に臨む切断縁において、隣り合う切目６２間の破断部が尖った形状で残存するので、手が触れると痛みを感じることがあり、子供向けの菓子等を収納する展示兼用箱には適さないという問題がある。
【００１１】
そこで、この発明は、包装箱の稜線に対し傾斜したジッパーを、途切れることなく連続的に破断でき、切断縁が滑らかになるようにすることを課題とする。
【課題を解決するための手段】
【００１２】
上記課題を解決するため、この発明は、前壁、対向する側壁及び後壁を備え、それらの境界の稜線に沿った折り曲げにより角筒状の周壁が形成され、底面が閉じられると共に、前壁及び後壁の上端からの延出部と、側壁の上端からの延出部とを重ね合わせて天面が閉じられ、前壁を横切る切目線に続いて、対向する側壁には、後壁との境界上端へ至るように、多数の切目が断続するジッパーを備え、ジッパーの開封方向が基準となる稜線に対し傾斜したジッパー付き包装箱において、前記ジッパーは、各切目が開封方向へ延びる直進部と、直進部の前端側で基準となる稜線に対し平行して開封方向に逆行するように下方向へ延びる破受部と、直進部の後端側で基準となる稜線に対し直交方向に延びる直線の誘導部と、これらを結ぶ曲線部とから成り、前記直進部に対し破受部及び誘導部が鈍角をなし、隣り合う切目の直進部が同一直線上に位置し、前方の切目の誘導部の延長線が後方の切目の破受部に対して、直角をなすように突き当たるようにしたのである。
【００１３】
また、このジッパー付き包装箱において、紙の繊維の延びる向きである紙目方向を、基準となる稜線に対して直交する方向へ向け、前記ジッパーの破受部が紙目方向に直交し、誘導部が紙目方向に平行となるようにしたのである。
【００１４】
さらに、前記ジッパーに平行してその上方に他のジッパーを設け、２条のジッパーに挟まれた引裂帯を形成し、引裂帯を引っ張って開封するようにしてもよい。
【発明の効果】
【００１５】
この発明に係るジッパー付き包装箱では、ジッパーを破断して開封する際、前方の切目の誘導部により誘導されて開封方向に対し横方向へ裂け目が生じ、この裂け目が後方の切目の破受部へ向かい、破受部に達するので、ジッパーを途切れることなく連続的に破断でき、切目の曲線部の存在により、少し回転するような感じで円滑に破断が進行する。
【００１６】
また、ジッパーを破断して開封した後、商品を収納したトレイ状部分の切断縁が尖った突出部のない滑らかなものとなるので、手触りが良くなり、子供が触れる機会が多い菓子の展示兼用箱等への適応性が向上する。
【図面の簡単な説明】
【００１７】
【図１】この発明の第１実施形態に係るジッパー付き包装箱のブランクを示す図
【図２】同上のジッパーの一部を示す拡大図
【図３】同上の組立状態を示す斜視図
【図４】同上の開封過程を示す斜視図
【図５】同上のジッパーの破断過程を示す部分拡大斜視図
【図６】同上の開封後のトレイ状部分を示す斜視図
【図７】この発明の第２実施形態に係るジッパー付き包装箱を示す斜視図
【図８】同上の開封後のトレイ状部分を示す斜視図
【図９】特許文献１記載のジッパー付き包装箱を示す斜視図
【発明を実施するための形態】
【００１８】
以下、この発明に係るジッパー付き包装箱の実施形態を添付図面に基づいて説明する。
【００１９】
このジッパー付き包装箱の第１実施形態は、図１に示すような板紙製のブランクから形成される。このブランクでは、紙の繊維の延びる向きである紙目方向が横方向へ向けられており、前壁１の一側に側壁２及び後壁３が順次連設され、前壁１の他側に側壁２及び継代片４が順次連設されている。前壁１及び後壁３は横幅が狭い長方形とされ、側壁２は横幅が広い長方形とされている。
【００２０】
前壁１及び後壁３の下端には底板５が連設され、側壁２の下端には一側に斜折線を有する底板６が連設されている。前壁１及び後壁３の上端には蓋受片７が連設され、一方の側壁２の上端には蓋板８及び差込片９が順次連設されている。
【００２１】
このブランクにおいて、前壁１と側壁２の境界、側壁２と後壁３の境界及び側壁２と継代片４の境界の稜線１０は、開封用ジッパー１１の傾斜の基準とされる。ジッパー１１は、多数の切目１２が繋部を介して断続するものであり、一対の側壁２において、前壁１との境界下部からその反対側の上端へ至り、開封方向が稜線１０に対して傾斜した直線となっている。
【００２２】
ジッパー１１の開封方向の稜線１０に対する傾斜角θは、１５°≦θ≦７５°の範囲が後述する機能上有効である。
【００２３】
ジッパー１１の各切目１２は、紙の厚さ方向に貫通し、図２に示すように、開封方向へ延びる直進部１３と、直進部１３の前端側で稜線１０に対し平行して開封方向へ逆行するように下方向へ延びる破受部１４と、直進部１３の後端側で稜線１０に対し直交方向に延びる直線の誘導部１５と、これらを結ぶ曲線部１６とから構成され、直進部１３に対し破受部１４及び誘導部１５が鈍角をなしている。
【００２４】
そして、隣り合う切目１２は、直進部１３が同一直線上に位置し、前方の切目１２の誘導部１５の延長線が後方の切目１２の破受部１４に突き当たるように配置されている。
【００２５】
前方の切目１２の誘導部１５と後方の切目１２の破受部１４の間隔である繋部の長さａと、後方の切目１２において前方の切目１２の誘導部１５の延長線が突き当たる点から下端までの長さｂとは略等しく、２ｍｍ程度とされている。
【００２６】
前壁１には、ミシン目状の切目線に囲まれた四角形状の切取窓部１７が設けられ、その上端の一方の角部には、ミシン目状の切目線で区画された指入部１８が設けられている。また、前壁１の両側下部には、切取窓部１７の周囲の切目線から側壁２のジッパー１１へかけて、ミシン目状の切目線１９が入れられている。
【００２７】
このようなブランクは、製造に際し、周壁の対角に位置する２本の稜線１０に沿って折り重ね、継代片４を後壁３に貼り付けると共に、底板６を斜折線に沿って折り返した状態で、その折返部を底板５に貼り付けて折畳状態としておく。
【００２８】
そして、菓子等の商品を包装する際には、図３に示すように、前壁１、一対の側壁２及び後壁３により角筒状の周壁を形成し、底板５，６により底壁を形成して、天面の開口から商品を挿入した後、蓋受片７を内側へ折り曲げ、蓋受片７に被せるように蓋板８を閉じて、差込片９を側壁２と蓋受片７の間に差し込む。
【００２９】
このように封緘した包装箱を開封する際には、前壁１の指入部１８を押し込んで開口させ、その開口部に指を入れて、図４に示すように、切取窓部１７を手前に引っ張り、周囲の切目線の破断に伴い除去し、前壁１を大きく開口させる。
【００３０】
次に、図５に示すように、前壁１の開口部に手を入れて切目線１９を破断し、続いて、側壁２のジッパー１１付近を撓ませるようにして、ジッパー１１を破断する。
【００３１】
この際、前方の切目１２の誘導部１５により誘導されて裂けやすい紙目方向である横方向へ裂け目が生じ、この裂け目が後方の切目１２の破受部１４へ向かい、破受部１４に達するので、ジッパー１１を途切れることなく連続的に破断でき、切目１２の曲線部１６の存在により、少し回転するような感じで円滑に破断が進行する。
【００３２】
そして、ジッパー１１の上方部分を除去すると、図６に示すように、周壁の前方が低くなったトレイ状の残存部分から商品を露出させることができる。
【００３３】
このように開封した状態では、ジッパー１１の前方の切目１２の誘導部１５と後方の切目１２の破受部１４とが谷状の窪みを形成し、曲線部１６の存在と相俟って、トレイ状部分の切断縁が尖った突出部のない滑らかなものとなるので、手触りが良くなり、子供が触れる機会が多い菓子を収納する展示兼用箱等への適応性が向上する。
【００３４】
次に、この発明の第２実施形態について、図７及び図８を参照しつつ説明する。
【００３５】
上記第１実施形態では、ジッパー１１が１条のものを例示したが、図７に示す第２実施形態では、ジッパー１１に平行してその上方に他のジッパー２０が設けられ、２条のジッパー１１，２０に挟まれた引裂帯２１が形成されている。そして、引裂帯２１を引っ張ってジッパー１１，２０を破断し、側壁２を切断するものとされている。
【００３６】
引裂帯２１の上側のジッパー２０は、鉤状の切目２２が断続する一般的なものとなっているが、このジッパー２０もまた、上記第１実施形態と同様の切目１２が断続するものとしてもよい。
【００３７】
また、前壁１の下部には、幅方向中央に垂直方向の切目線２３が入れられ、切目線２３から左右方向へ２条のジッパー２４に挟まれた引裂帯２５が形成されて、引裂帯２５が側壁２の引裂帯２１に連続するようになっている。
【００３８】
この包装箱の開封に際しては、切目線２３に臨む部分から引裂帯２５を引っ張り、これに続いて引裂帯２１を引っ張ることにより、前壁１及び側壁２を連続的に切断する。
【００３９】
そして、引裂帯２５，２１の上方部分を除去すると、図８に示すように、周壁の前方が低くなったトレイ状の残存部分から商品を露出させることができる。
【００４０】
このトレイ状部分は、上記第１実施形態のものと同様、ジッパー１１による切断縁が尖った突出部のない滑らかなものとなり、切断縁に手を触れても痛みを感じることがなく、商品の菓子等を取り出しやすい状態で見映えよく展示できる。
【００４１】
なお、上記各実施形態では、いわゆるＢ式ワンタッチ底のものを例示したが、上記のようなジッパーによる開封手段は、周壁各面から延びるフラップを重ね合わせて底面及び天面を閉止するいわゆるＡ式の包装箱や、蓋板の先端に連設した重合板を側壁の外面に重ね合わせる個装箱等の包装箱のほか、ラップラウンド形式の包装箱にも適用することができる。また、包装箱の側面だけでなく、天面にも適用することができる。
【００４２】
また、材料が板紙のものを例示したが、段ボールを材料とする包装箱においても、同様のジッパーによる開封手段を適用することができる。
【符号の説明】
【００４３】
１  前壁
２  側壁
３  後壁
４  継代片
５，６  底板
７  蓋受片
８  蓋板
９  差込片
１０  稜線
１１  ジッパー
１２  切目
１３  直進部
１４  破受部
１５  誘導部
１６  曲線部
１７  切取窓部
１８  指入部
１９  切目線
２０  ジッパー
２１  引裂帯
２２  切目
２３  切目線
２４  ジッパー
２５  引裂帯
【図１】
0006552860.tif 000002
【図２】
0006552860.tif 000003
【図３】
0006552860.tif 000004
【図４】
0006552860.tif 000005
【図５】
0006552860.tif 000006
【図６】
0006552860.tif 000007
【図７】
0006552860.tif 000008
【図８】
0006552860.tif 000009
【図９】
0006552860.tif 000010